(57)【要約】【課題】山林土壌の緊密土壌や、礫や根などの障害物が混じった土壌などの掘削作業に適する植栽用穿孔具を提供すること。【解決手段】樹木や植物などの苗を植栽するための植穴を設けるための植栽用穿孔具であって、人力または電動工具からの駆動力によって回転可能な回転軸１０と、回転軸１０の外周に設けて掘削土を上方へと掘削および排土する螺旋翼２０と、回転軸１０による回転でもって地盤の外周部を切削するホールソー３０と、を少なくとも有し、前記ホールソー３０の下縁に設ける切削刃３１を、螺旋翼２０の最下端２１よりも下方に位置してあることを特徴とする。【選択図】図１
2019208444.tif 000002
【特許請求の範囲】
【請求項１】
樹木や植物などの苗を植栽するための植穴を地盤に設けるための植栽用穿孔具であって、
人力、または電動工具からの駆動力によって回転可能な、回転軸と、
前記回転軸の外周に設けて、土砂を上方へと掘削および排土する、螺旋翼と、
前記回転軸による回転でもって地盤の外周部を切削する、ホールソーと、
を少なくとも有し、
前記ホールソーの下縁に設ける切削刃を、前記螺旋翼の最下端よりも下方に位置してあることを特徴とする、
植栽用穿孔具。
【請求項２】
前記螺旋翼の側縁に、前記ホールソーの側壁を接合してあることを特徴とする、
請求項１に記載の植栽用穿孔具。
【請求項３】
前記回転軸の先端を、前記切削刃よりも下方に位置してあることを特徴とする、
請求項１または２に記載の植栽用穿孔具。
【請求項４】
前記回転軸を電動工具に脱着自在に構成してあることを特徴とする、
請求項１乃至３のうち何れか１項に記載の植栽用穿孔具。
【発明の詳細な説明】
【技術分野】
【０００１】
本発明は、樹木や農作物などの苗を植栽するための植穴を地盤に設けるための植栽用穿孔具に関し、より詳細には種々の土質条件に対応可能な植栽用穿孔具に関する。
【背景技術】
【０００２】
以下の特許文献１には、苺などの苗を定植するための植穴を畝に設けるための苗定植用穿孔具が開示されている。
この苗定植用穿孔具は、既製の電動工具に着脱可能に構成し、駆動側回転軸からの回転力でもって回転し、先端に先鋭部を設けた受動側回転軸体と、受動側回転軸体の外周に捲回して設けた螺旋体と、螺旋体の外周に取付けられる略筒状の掘削土飛散防止カバーと、を備えている。
螺旋体は、掘削土を排出するために設けており、掘削土飛散防止カバーは、螺旋体によって排出する掘削土が周囲に飛散することを防止するために設けている。
【先行技術文献】
【特許文献】
【０００３】
【特許文献１】特開２００９−１９５１５３号公報
【発明の概要】
【発明が解決しようとする課題】
【０００４】
しかし、上記した苗定植用穿孔具では、以下に記載する問題のうち、少なくとも何れか１つの問題によって、掘削効率の低下が懸念される。
（１）畝などの柔らかい土壌環境では使用に支障が無いが、山林土壌の緊密土壌、粘性土壌、礫混じり土壌、根系混じり土壌などの掘削作業に用いる場合、穴の内部に土砂や障害物が詰まって掘削が止まってしまう場合がある。
（２）掘削が進まない中で電動工具を駆動し続けるため、電動工具の電池消耗が激しくなる。
（３）土砂等の詰まりを取り除く清掃作業等に労力を要し、作業時間が奪われる。
【０００５】
よって、本発明は、山林土壌の緊密土壌、粘性土壌、礫や根などの障害物が混じった土壌などの掘削作業に適する植栽用穿孔具を提供することを目的の一つとする。
【課題を解決するための手段】
【０００６】
上記課題を解決すべくなされた本願の第１発明は、樹木や植物などの苗を植栽するための植穴を地盤に設けるための植栽用穿孔具であって、人力、または電動工具からの駆動力によって回転可能な、回転軸と、前記回転軸の外周に設けて、土砂を上方へと掘削および排土する、螺旋翼と、前記回転軸による回転でもって地盤の外周部を切削する、ホールソーと、を少なくとも有し、前記ホールソーの下縁に設ける切削刃を、前記螺旋翼の最下端よりも下方に位置してあることを特徴とする。
また、本願の第２発明は、前記第１発明において、前記螺旋翼の側縁に、前記ホールソーの側壁を接合してあることを特徴とする。
また、本願の第３発明は、前記第１発明または第２発明において、前記回転軸の先端を、前記切削刃よりも下方に位置してあることを特徴とする。
また、本願の第４発明は、前記第１発明乃至第３発明のうち少なくとも何れか１つの発明において、前記回転軸を電動工具に脱着自在に構成してあることを特徴とする。
【発明の効果】
【０００７】
本発明によれば、以下に記載する効果のうち、少なくとも何れか１つの効果を奏する。
（１）植栽用穿孔具に設けたホールソーが、緊密土壌、粘性土壌や礫や根などの障害物が混じった土壌の掘削・切断を行うため、螺旋体による排土が滞ることが無い。
（２）螺旋体内部での排土砂による詰まり現象等により、回転トルクが異常に高まり掘削能力が異常低下した状態で電動工具を駆動し続けることも無いため、電動工具の無駄な電池消耗を防止することができる。
（３）土砂の詰まり等を取り除く清掃作業等によって作業時間を浪費することが無い。
（４）エンジン式と比べ、軽量で低騒音であることより作業者への肉体的負担が軽減され、足場の悪い急傾斜地や山野での作業性・安全性が高まり軽労化を実現できる。
（５）重機などの大型器具を用いないため、傾斜地や狭小な場所に植穴を形成できる。また植穴を形成するコストを抑制することができる。
（６）電動工具等の駆動源の回転力を使用して植穴の形成を行うため、硬い土壌や粘性土壌や根系混じり土壌であっても植穴を確実に形成することができる。
（７）重量のあるエンジン式と比べ、重量軽減でき軽労化が可能であり、人力に頼っていた削孔作業を軽労化できる。
【図面の簡単な説明】
【０００８】
【図１】本発明に係る植栽用穿孔具の全体構成図。
【図２】本発明に係る植栽用穿孔具の使用イメージ図。
【発明を実施するための形態】
【０００９】
以下、図面を参照しながら、本発明の実施例について説明する。
【実施例】
【００１０】
＜１＞全体構成（図１）
本実施例に係る植栽用穿孔具Ａ（以下単に「穿孔具」ともいう。）は、電動工具Ｂに着脱自在に構成したアタッチメント型の治具である。
図１に、本発明に係る植栽用穿孔具Ａの全体構成の一例を示す。
図１（ａ）は植栽用穿孔具Ａの正面図であり、図１（ｂ）は植栽用穿孔具Ａの背面図である。
本実施例に係る植栽用穿孔具Ａは、回転軸１０、螺旋翼２０およびホールソー３０を少なくとも具備して構成する。
以下、各要素の詳細について説明する。
【００１１】
＜２＞回転軸（図１）
回転軸１０は、前記螺旋翼２０およびホールソー３０に回転力を伝達するための要素である。
本実施例では、回転軸１０の一端（後端）側を電動工具Ｂに着脱自在に構成し、回転軸１０の他端（先端）側には、掘削作業の開始時に地盤に突き刺して穿孔具全体の揺れを防止するための先鋭部１１を設けている。
本実施例では、先鋭部１１の先端をプラスドライバーのような十字形状としている。
【００１２】
＜３＞螺旋翼（図１）
螺旋翼２０は、地盤の掘削と、掘削土などの排出を行うための要素である。
本実施例では、螺旋翼２０を、前記回転軸１０の周囲に螺旋状に設けた螺旋翼２０で構成している。
螺旋翼２０の勾配は一定であっても良いし、上方に向かって増加するように構成しても良い。
また、螺旋翼２０は、翼部分を連続するように配置していても良いし、翼部分を略階段状に間欠配置してもよい。
なお、螺旋翼２０を設ける長さは、植栽する穴Ｄの深さによって適宜決定すればよい。本実施例では、螺旋翼２０の長さを穴Ｄの深さよりも長めに設定している。
【００１３】
＜４＞ホールソー（図１）
ホールソー３０は、螺旋翼２０による地盤の掘削・排土を促進するための要素である。
ホールソー３０は、その先端（下端）に切削刃３１を設けたリングカッターである。
切削刃３１は、前記回転軸１０の先鋭部１１よりもやや上方の位置としつつ、前記螺旋翼２０の下端よりも下方の位置とする。
上記位置関係とすることで、切削刃３１による地盤の掘削が先行して行われた掘削土砂を、螺旋翼２０でもって排土することができる。
また、本実施例では、螺旋翼２０の側縁２２と、ホールソー３０の側壁３２の内面３２１を接合することで、回転軸１０の回転によって螺旋翼２０とともにホールソー３０が回転するよう構成している。
【００１４】
＜４．１＞切削刃の構成について
切削刃３１の数やピッチは、掘削作業を行う土質条件に対し、掘削性能が確保される範囲で適宜決定すればよい。
【００１５】
＜４．２＞ホールソーの形状について
ホールソー３０の形状（縦方向の長さ、周壁の厚さなど）は、掘削作業時の掘進抵抗によって変形・破損が生じない程度の強度を有する範囲で適宜決定することができる。
すなわち、このホールソー３０の形状は、掘削場所の土質や、穿孔径などの諸条件によって最適化できるため、種々の形状は全て本発明に含まれる。
【００１６】
＜４．３＞ホールソーの強度確保と、土砂詰まりの抑制の両立
なお、掘削土砂が、粘土のように粘性が高い性質を有する場合、ホールソー３０の側壁３２の内面３２１に掘削土砂が付着しやすくなり、その結果排土の流れが遮られてホールソー３０の内部で土砂詰まりを引き起こしやすくなる。
この現象は、螺旋翼２０と重なる位置にあるホールソー３０の側壁３２の面積が大きくなればなるほど顕著となる。
よって、ホールソー３０の形状は、前記した所望の強度を満たす範囲で、できる限りホールソー３０の側壁３２の面積が極力小さくなるように構成することが好ましい。
そこで、側壁３２の壁面積を変化させて実験を行ったところ、螺旋翼２０の一回転当りの側壁３２を全閉塞した面積の３０％以下とした面積の場合に、粘性土の付着防止や礫等固形物の閉塞を防止する顕著な効果を得ることができた。
【００１７】
また、ホールソー３０を回転させるためには、回転軸１０の回転力をホールソー３０に伝達する必要がある。
よって、本実施例では、螺旋翼２０の最下端２１から、螺旋軌跡の略１／２ピッチだけホールソー３０の側壁３２を有するよう構成し、ホールソー３０の側壁３２と螺旋翼２０の側縁２２とを接合することで、ホールソー３０の接合強度の確保と、ホールソー３０の内面３２１の面積の低減による土砂詰まりの抑制作用のバランスを取っている。
【００１８】
＜５＞使用方法（図２）
図２に、本発明に係る植栽用穿孔具Ａの使用イメージ図を示す。
（１）掘削作業の開始（図２（ａ））
まず、電動工具Ｂに、本発明に係る植栽用穿孔具Ａを取り付けた状態で、掘削予定箇所の略中心部に先鋭部１１を突き刺して位置決めする。
その後、電動工具Ｂを駆動して、螺旋翼２０およびホールソー３０の回転を開始する。
（２）植穴の形成（図２（ｂ））
次に、植栽用穿孔具Ａを圧入し、所定の深さまで掘削作業を進めて、植穴となる穴Ｄを形成する。
その際、土壌が緊密であったり、地中に根Ｃや礫などの障害が存在したりする場合であっても、ホールソー３０でもって先行して土壌の掘削や根Ｃの切断などを行うため、螺旋翼２０による掘削土の排出がスムーズとなり、掘削作業が滞ることは無い。
また、ホールソー３０の側壁３２は、極力少ない面積とするよう構成することで、側壁３２の内面３２１に掘削土砂が付着して詰まることで螺旋翼２０の回転が止まってしまう恐れを軽減することができる。
（３）苗の植栽（図２（ｃ））
所定の深さまで掘削作業が進んだあとは、穴Ｄに苗Ｅを投入し、穿孔時に排土された掘削土を穴Ｄに戻すなどして苗Ｅの固定を行う。
【００１９】
＜６＞変形例
なお、本発明に係る植採用穿孔具は、人力によって回転軸に回転力を与える態様であっても良い（図示せず）。
【符号の説明】
【００２０】
Ａ      植栽用穿孔具
１０    回転軸
１１    先鋭部
２０    螺旋翼
２１    最下端
２２    側縁
３０    ホールソー
３１    切削刃
３２    側壁
３２１  内面
Ｂ      電動工具
Ｃ      根
Ｄ      穴
Ｅ      苗
【図１】
2019208444.tif 000003
【図２】
2019208444.tif 000004